(57)【要約】【課題】テレビジョン受像機において、同一放送局のデジタルテレビジョン信号とアナログテレビジョン信号を受信できる状況において、ユーザの使い勝手を向上させる。【解決手段】テレビジョン受像機は、同一放送局のデジタルテレビジョン信号とアナログテレビジョン信号を受信可能な場合（＃３でＹＥＳ）、デジタルテレビジョン信号にＬＣＮが含まれていれば（＃４でＹＥＳ）、デジタルテレビジョン信号の放送チャンネルに、ＬＣＮに従ったチャンネル番号を割付けると共に、アナログテレビジョン信号の放送チャンネルに、同じチャンネル番号を割付け（＃５）、デジタルテレビジョン信号にＬＣＮが含まれていなければ（＃４でＮＯ）、アナログテレビジョン信号の放送チャンネルに、アナログテレビジョン信号に含まれているＶＰＳに従ったチャンネル番号を割付けると共に、デジタルテレビジョン信号の放送チャンネルに、同じチャンネル番号を割付ける（＃６）。【選択図】図２
2010273085.tif 000002
【特許請求の範囲】
【請求項１】
テレビジョン放送局から放送されるテレビジョン信号を受信して、テレビジョン信号に基く映像を表示すると共に、テレビジョン信号に基く音声を出力するテレビジョン受像機において、
テレビジョン信号の放送チャンネルにチャンネル番号を割付けるチャンネル番号割付手段を備え、
前記チャンネル番号割付手段は、
同一の放送局のデジタルテレビジョン信号とアナログテレビジョン信号を受信可能か否かを検出し、
同一の放送局のデジタルテレビジョン信号とアナログテレビジョン信号を受信可能な場合に、受信可能な同一の放送局のデジタルテレビジョン信号とアナログテレビジョン信号の放送チャンネルについて、デジタルテレビジョン信号の放送チャンネルとアナログテレビジョン信号の放送チャンネルに同じチャンネル番号を割付ける、
ことを特徴とするテレビジョン受像機。
【請求項２】
前記チャンネル番号割付手段は、
デジタルテレビジョン信号に含まれている放送局ＩＤ、及びアナログテレビジョン信号に含まれている放送局ＩＤに基いて、同一の放送局のデジタルテレビジョン信号とアナログテレビジョン信号を受信可能か否かを検出する、
ことを特徴とする請求項１に記載のテレビジョン受像機。
【請求項３】
前記チャンネル番号割付手段は、
受信可能な同一の放送局のデジタルテレビジョン信号とアナログテレビジョン信号のうち、デジタルテレビジョン信号にＬＣＮが含まれている場合には、デジタルテレビジョン信号の放送チャンネルに、ＬＣＮに従ったチャンネル番号を割付けると共に、アナログテレビジョン信号の放送チャンネルに、デジタルテレビジョン信号の放送チャンネルに割付けたチャンネル番号と同じチャンネル番号を割付け、
受信可能な同一の放送局のデジタルテレビジョン信号とアナログテレビジョン信号のうち、デジタルテレビジョン信号にＬＣＮが含まれていない場合には、アナログテレビジョン信号の放送チャンネルに、アナログテレビジョン信号に含まれているＶＰＳに従ったチャンネル番号を割付けると共に、デジタルテレビジョン信号の放送チャンネルに、アナログテレビジョン信号の放送チャンネルに割付けたチャンネル番号と同じチャンネル番号を割付ける、
ことを特徴とする請求項１に記載のテレビジョン受像機。
【発明の詳細な説明】
【技術分野】
【０００１】
本発明は、テレビジョン放送局から放送されるテレビジョン信号を受信して、テレビジョン信号に基く映像を表示するテレビジョン受像機に関するものである。
【背景技術】
【０００２】
従来から、テレビジョン受像機は、ユーザの操作によってテレビジョン信号の放送チャンネルに対応するチャンネル番号が入力されることにより、そのチャンネル番号に対応する放送チャンネルのテレビジョン信号を受信して、そのテレビジョン信号に基く映像を表示するようになっている。すなわち、ユーザは、放送チャンネルに対応するチャンネル番号を入力することにより、放送チャンネルを選択して、その放送チャンネルのテレビジョン信号に基く映像をテレビジョン受像機に表示させるようになっている。
【０００３】
一方、放送局側において、同一の放送局のデジタルテレビジョン信号とアナログテレビジョン信号の放送チャンネルに同じチャンネル番号を割り当てて、テレビジョン信号の放送を運用する方法が知られている（例えば特許文献１及び特許文献２参照）。また、高精細放送番組と標準精細放送番組とを容易に識別できる番組表を表示するようにしたテレビジョン受像機が知られている（例えば特許文献３参照）。
【先行技術文献】
【特許文献】
【０００４】
【特許文献１】特開２００２−２３２８０１号公報
【特許文献２】特開２００２−２３２７９５号公報
【特許文献３】特開２００１−１０３３８８号公報
【発明の概要】
【発明が解決しようとする課題】
【０００５】
ところで、近年、各国や各地域において、テレビジョン信号の放送は、アナログテレビジョン信号の放送からデジタルテレビジョン信号の放送に移行しつつある。テレビジョン信号の放送をアナログテレビジョン信号の放送からデジタルテレビジョン信号の放送に移行する際、アナログテレビジョン信号の放送とデジタルテレビジョン信号の放送が混在する時期を設けることが想定される。また、同一の放送局のデジタルテレビジョン信号の放送チャンネルとアナログテレビジョン信号の放送チャンネルであっても、それら同一の放送局のデジタルテレビジョン信号の放送チャンネルとアナログテレビジョン信号の放送チャンネルとで、異なるチャンネル番号が付与されることも考えられる。
【０００６】
同一の放送局のデジタルテレビジョン信号の放送チャンネルとアナログテレビジョン信号の放送チャンネルとで、チャンネル番号が異なる場合（すなわち、放送局とチャンネル番号の関係が、デジタルテレビジョン信号の放送とアナログテレビジョン信号の放送とで異なる場合）には、ユーザの混乱を招く可能性が高く、ユーザの使い勝手の悪化に繋がる。なお、上述した特許文献１乃至特許文献３に開示の内容を適用したとしても、上記の問題を解決することはできない。
【０００７】
本発明は、上記課題を解決するためになされたものであり、同一の放送局のデジタルテレビジョン信号とアナログテレビジョン信号を受信できる状況において、ユーザの使い勝手を向上させることができるテレビジョン受像機を提供することを目的とする。
【課題を解決するための手段】
【０００８】
上記目的を達成するために請求項１の発明は、テレビジョン放送局から放送されるテレビジョン信号を受信して、テレビジョン信号に基く映像を表示すると共に、テレビジョン信号に基く音声を出力するテレビジョン受像機において、テレビジョン信号の放送チャンネルにチャンネル番号を割付けるチャンネル番号割付手段を備え、チャンネル番号割付手段は、同一の放送局のデジタルテレビジョン信号とアナログテレビジョン信号を受信可能か否かを検出し、同一の放送局のデジタルテレビジョン信号とアナログテレビジョン信号を受信可能な場合に、受信可能な同一の放送局のデジタルテレビジョン信号とアナログテレビジョン信号の放送チャンネルについて、デジタルテレビジョン信号の放送チャンネルとアナログテレビジョン信号の放送チャンネルに同じチャンネル番号を割付けるものである。
【０００９】
請求項２の発明は、請求項１に記載のテレビジョン受像機において、チャンネル番号割付手段は、デジタルテレビジョン信号に含まれている放送局ＩＤ、及びアナログテレビジョン信号に含まれている放送局ＩＤに基いて、同一の放送局のデジタルテレビジョン信号とアナログテレビジョン信号を受信可能か否かを検出するものである。
【００１０】
請求項３の発明は、請求項１に記載のテレビジョン受像機において、チャンネル番号割付手段は、受信可能な同一の放送局のデジタルテレビジョン信号とアナログテレビジョン信号のうち、デジタルテレビジョン信号にＬＣＮが含まれている場合には、デジタルテレビジョン信号の放送チャンネルに、ＬＣＮに従ったチャンネル番号を割付けると共に、アナログテレビジョン信号の放送チャンネルに、デジタルテレビジョン信号の放送チャンネルに割付けたチャンネル番号と同じチャンネル番号を割付け、受信可能な同一の放送局のデジタルテレビジョン信号とアナログテレビジョン信号のうち、デジタルテレビジョン信号にＬＣＮが含まれていない場合には、アナログテレビジョン信号の放送チャンネルに、アナログテレビジョン信号に含まれているＶＰＳに従ったチャンネル番号を割付けると共に、デジタルテレビジョン信号の放送チャンネルに、アナログテレビジョン信号の放送チャンネルに割付けたチャンネル番号と同じチャンネル番号を割付けるものである。
【発明の効果】
【００１１】
請求項１乃至請求項３の発明によれば、チャンネル番号割付手段により、同一の放送局のデジタルテレビジョン信号とアナログテレビジョン信号の放送チャンネルについて、デジタルテレビジョン信号の放送チャンネルとアナログテレビジョン信号の放送チャンネルに同じチャンネル番号が割付けられる。従って、同一の放送局のデジタルテレビジョン信号とアナログテレビジョン信号を受信できる状況において、ユーザの混乱を招く可能性を低くすることができ、ユーザの使い勝手を向上させることができる。
【図面の簡単な説明】
【００１２】
【図１】本発明の一実施形態に係るテレビジョン受像機の概略構成を示す電気的ブロック構成図。
【図２】同テレビジョン受像機のチャンネル番号割付動作を示すフローチャート。
【図３】同テレビジョン受像機のチャンネル番号割付動作を示すフローチャート。
【発明を実施するための形態】
【００１３】
以下、本発明を具体化した実施形態によるテレビジョン受像機について図面を参照して説明する。図１は、本実施形態によるテレビジョン受像機の構成を示す。テレビジョン受像機１は、テレビジョン放送局から放送されるテレビジョン信号を受信して、テレビジョン信号に基く映像を表示すると共に、テレビジョン信号に基く音声を出力する機器である。  
【００１４】
このテレビジョン受像機１は、デジタルテレビジョン放送及びアナログテレビジョン放送に対応している。すなわち、このテレビジョン受像機１は、デジタルテレビジョン信号を受信して、デジタルテレビジョン信号に基く映像を表示すると共に、デジタルテレビジョン信号に基く音声を出力し、また、アナログテレビジョン信号を受信して、アナログテレビジョン信号に基く映像を表示すると共に、アナログテレビジョン信号に基く音声を出力するようになっている。
【００１５】
また、このテレビジョン受像機１は、テレビジョン信号の放送チャンネルに独自のチャンネル番号を割付ける機能を有しており、受信可能な同一の放送局のデジタルテレビジョン信号とアナログテレビジョン信号の放送チャンネルについて、デジタルテレビジョン信号の放送チャンネルとアナログテレビジョン信号の放送チャンネルに同じチャンネル番号を割付けることができるようになっている。
【００１６】
テレビジョン受像機１は、デジタルデコーダ２と、アナログデコーダ３と、ディスプレイ４と、スピーカ５と、リモコン６と、リモコン受信部７と、チャンネルメモリ８と、テレビジョン受像機１の動作を制御するＭＰＵ９等を備える。
【００１７】
デジタルデコーダ２は、ＭＰＵ９による制御のもと、受信周波数がデジタルテレビジョン信号の放送チャンネルに対応する周波数に設定されることにより、その放送チャンネル（その周波数）のデジタルテレビジョン信号をアンテナ１ａを介して受信する。そして、デジタルデコーダ２は、受信したデジタルテレビジョン信号をデコード処理して、そのデジタルテレビジョン信号に基く映像の映像信号、及びそのデジタルテレビジョン信号に基く音声の音声信号を生成する。デジタルデコーダ２により生成された映像信号及び音声信号は、ＭＰＵ９による制御のもと、ディスプレイ４及びスピーカ５に供給される。
【００１８】
また、デジタルテレビジョン信号には、そのデジタルテレビジョン信号の放送局名を示す放送局ＩＤや、そのデジタルテレビジョン信号の放送チャンネルに放送局が付与した規定のチャンネル番号を示すＬＣＮ（Logical Channel Number）等のチャンネル情報が含まれており、デジタルデコーダ２は、受信したデジタルテレビジョン信号から、これら放送局ＩＤやＬＣＮ等のチャンネル情報を抽出する。デジタルデコーダ２により抽出されたチャンネル情報は、ＭＰＵ９に与えられる。
【００１９】
アナログデコーダ３は、ＭＰＵ９による制御のもと、受信周波数がアナログテレビジョン信号の放送チャンネルに対応する周波数に設定されることにより、その放送チャンネル（その周波数）のアナログテレビジョン信号をアンテナ１ａを介して受信する。そして、アナログデコーダ３は、受信したアナログテレビジョン信号をデコード処理して、そのアナログテレビジョン信号に基く映像の映像信号、及びそのアナログテレビジョン信号に基く音声の音声信号を生成する。アナログデコーダ３により生成された映像信号及び音声信号は、ＭＰＵ９による制御のもと、ディスプレイ４及びスピーカ５に供給される。
【００２０】
また、アナログテレビジョン信号には、そのアナログテレビジョン信号の放送局名を示す放送局ＩＤを含んだＣＮＩや、そのアナログテレビジョン信号の放送局名を示す放送局ＩＤ及びそのアナログテレビジョン信号の放送チャンネルに放送局が付与した規定のチャンネル番号を示す情報を含んだＶＰＳ（TS101 231 Code Register参照）等のチャンネル情報が含まれており、アナログデコーダ３は、受信したアナログテレビジョン信号から、これらＣＮＩやＶＰＳ等のチャンネル情報を抽出する。アナログデコーダ３により抽出されたチャンネル情報は、ＭＰＵ９に与えられる。
【００２１】
ディスプレイ４は、映像信号が供給されることにより、その映像信号に基く映像を表示する。スピーカ５は、音声信号が供給されることにより、その音声信号に基く音声を出力する。
【００２２】
リモコン６は、テレビジョン受像機１の電源のオン／オフ、放送チャンネルの選択、チャンネル番号の割付動作等、テレビジョン受像機１の各種動作を指示するためにユーザに操作され、その操作内容を示す操作信号を送信する。リモコン受信部７は、リモコン６から送信された操作信号を受信して、リモコン６の操作内容を示すリモコン受信信号を出力する。
【００２３】
チャンネルメモリ８は、ＭＰＵ９による制御のもと、テレビジョン信号の放送チャンネルとテレビジョン信号の放送チャンネルに割付けられたチャンネル番号との対応関係を記憶する。
【００２４】
ＭＰＵ９は、リモコン受信部７から出力されるリモコン受信信号を基にリモコン６の操作内容を判断し、ユーザによるリモコン６の操作を受けて、テレビジョン受像機１の各種動作を制御する。ＭＰＵ９は、テレビジョン受像機１の動作を制御するためのプログラムや各種データを記憶したメモリを有しており、このメモリに記憶しているプログラムや各種データに基いて、テレビジョン受像機１の各種動作を制御する。
【００２５】
ＭＰＵ９は、デジタルデコーダ２の受信周波数を所望の放送チャンネルに対応する周波数に設定することにより、所望の放送チャンネルのデジタルテレビジョン信号を受信する動作を行う。これにより、所望の放送チャンネルのデジタルテレビジョン信号がデジタルデコーダ２によって受信され、デジタルデコーダ２によって、受信中のデジタルテレビジョン信号がデコード処理されて、受信中のデジタルテレビジョン信号に基く映像の映像信号、及び受信中のデジタルテレビジョン信号に基く音声の音声信号が生成されると共に、受信中のデジタルテレビジョン信号に含まれている放送局ＩＤやＬＣＮ等のチャンネル情報が抽出される。
【００２６】
また、ＭＰＵ９は、アナログデコーダ３の受信周波数を所望の放送チャンネルに対応する周波数に設定することにより、所望の放送チャンネルのアナログテレビジョン信号を受信する動作を行う。これにより、所望の放送チャンネルのアナログテレビジョン信号がアナログデコーダ３によって受信され、アナログデコーダ３によって、受信中のアナログテレビジョン信号がデコード処理されて、受信中のアナログテレビジョン信号に基く映像の映像信号、及び受信中のアナログテレビジョン信号に基く音声の音声信号が生成されると共に、受信中のアナログテレビジョン信号に含まれているＣＮＩやＶＰＳ等のチャンネル情報が抽出される。
【００２７】
また、ＭＰＵ９は、所望の放送チャンネルのデジタルテレビジョン信号を受信する動作を行って、デジタルデコーダ２により生成された映像信号及び音声信号をディスプレイ４及びスピーカ５に供給するように制御することにより、所望の放送チャンネルのデジタルテレビジョン信号に基く映像及び音声を視聴可能に出力する動作を行う。これにより、デジタルデコーダ２により生成された映像信号及び音声信号がディスプレイ４及びスピーカ５に供給されて、所望の放送チャンネルの（受信中の）デジタルテレビジョン信号に基く映像がディスプレイ４に表示されると共に音声がスピーカ５から出力される。
【００２８】
また、ＭＰＵ９は、所望の放送チャンネルのアナログテレビジョン信号を受信する動作を行って、アナログデコーダ３により生成された映像信号及び音声信号をディスプレイ４及びスピーカ５に供給するように制御することにより、所望の放送チャンネルのアナログテレビジョン信号に基く映像及び音声を視聴可能に出力する動作を行う。これにより、アナログデコーダ３により生成された映像信号及び音声信号がディスプレイ４及びスピーカ５に供給されて、所望の放送チャンネルの（受信中の）アナログテレビジョン信号に基く映像がディスプレイ４に表示されると共に音声がスピーカ５から出力される。
【００２９】
また、ＭＰＵ９は、デジタルデコーダ２により抽出された放送局ＩＤやＬＣＮ等のチャンネル情報を取得すると共に、アナログデコーダ３により抽出されたＣＮＩやＶＰＳ等のチャンネル情報を取得する。
【００３０】
また、ＭＰＵ９は、テレビジョン信号の放送チャンネルにチャンネル番号を割付けるチャンネル番号割付動作を行う。
【００３１】
チャンネル番号割付動作では、ＭＰＵ９は、各放送チャンネル（周波数）のデジタルテレビジョン信号及びアナログテレビジョン信号を受信する動作を行って、各放送チャンネルのデジタルテレビジョン信号に含まれている放送局ＩＤやＬＣＮ等のチャンネル情報、及び各放送チャンネルのアナログテレビジョン信号に含まれているＣＮＩやＶＰＳ等のチャンネル情報を取得し、それら取得したチャンネル情報に基いて、デジタルテレビジョン信号及びアナログテレビジョン信号の放送チャンネルにチャンネル番号を割付ける。
【００３２】
また、チャンネル番号割付動作では、ＭＰＵ９は、デジタルテレビジョン信号に含まれている放送局ＩＤ、及びアナログテレビジョン信号に含まれている放送局ＩＤ（ＣＮＩやＶＰＳに含まれている）に基いて、同一の放送局のデジタルテレビジョン信号とアナログテレビジョン信号を受信可能か否かを検出し、同一の放送局のデジタルテレビジョン信号とアナログテレビジョン信号を受信可能な場合には、それら受信可能な同一の放送局のデジタルテレビジョン信号とアナログテレビジョン信号の放送チャンネルについて、デジタルテレビジョン信号の放送チャンネルとアナログテレビジョン信号の放送チャンネルに同じチャンネル番号を割付ける。
【００３３】
すなわち、ＭＰＵ９は、各放送チャンネルのデジタルテレビジョン信号に含まれている放送局ＩＤと各放送チャンネルのアナログテレビジョン信号に含まれている放送局ＩＤの中から、共通する放送局ＩＤをピックアップし、それら共通する放送局ＩＤを含んでいるデジタルテレビジョン信号の放送チャンネルとアナログテレビジョン信号の放送チャンネルについては、同じチャンネル番号を割付ける。
【００３４】
このとき、ＭＰＵ９は、受信可能な同一の放送局のデジタルテレビジョン信号とアナログテレビジョン信号の放送チャンネルについて、デジタルテレビジョン信号の放送チャンネルに、そのデジタルテレビジョン信号に含まれているＬＣＮに従ったチャンネル番号を割付けると共に、アナログテレビジョン信号の放送チャンネルに、デジタルテレビジョン信号の放送チャンネルに割付けたチャンネル番号と同じチャンネル番号を割付ける。
【００３５】
なお、国や地域などによっては、デジタルテレビジョン信号にＬＣＮが含まれていない場合もあり、デジタルテレビジョン信号にＬＣＮが含まれていない場合には、ＭＰＵ９は、アナログテレビジョン信号の放送チャンネルに、そのアナログテレビジョン信号に含まれているＶＰＳに従ったチャンネル番号を割付けると共に、デジタルテレビジョン信号の放送チャンネルに、アナログテレビジョン信号の放送チャンネルに割付けたチャンネル番号と同じチャンネル番号を割付ける。ＭＰＵ９は、このようにしてチャンネル番号割付動作を行う。ＭＰＵ９等によって、チャンネル番号割付手段が構成されている。
【００３６】
チャンネル番号割付動作は、ユーザによってリモコン６が操作されて、チャンネル番号割付動作を行う指示がなされることにより行われる。すなわち、ＭＰＵ９は、ユーザによってリモコン６が操作されて、チャンネル番号割付動作を行う指示がなされると、チャンネル番号割付動作を行って、デジタルテレビジョン信号及びアナログテレビジョン信号の放送チャンネルにチャンネル番号を割付ける。そして、ＭＰＵ９は、チャンネル番号割付動作で割付けたチャンネル番号をデジタルテレビジョン信号及びアナログテレビジョン信号の放送チャンネルと対応付けてチャンネルメモリ８に記憶し、それ以降は、ユーザにより放送チャンネルを選択する操作がなされると、チャンネルメモリ８に記憶している（チャンネル番号割付動作で割付けた）チャンネル番号と放送チャンネルとの対応関係に従って、デジタルテレビジョン信号及びアナログテレビジョン信号を受信する動作を行う。  
【００３７】
ユーザによる放送チャンネルの選択は、ユーザによってリモコン６が操作されて、デジタルテレビジョン信号とアナログテレビジョン信号のどちらを受信するかが選択されると共に、チャンネル番号が入力されることにより行われる。
【００３８】
すなわち、デジタルテレビジョン信号を受信するように選択されている状態で、チャンネル番号が入力されると、ＭＰＵ９は、その入力されたチャンネル番号が割付けられているデジタルテレビジョン信号の放送チャンネルとアナログテレビジョン信号の放送チャンネルのうち、デジタルテレビジョン信号の放送チャンネルが選択されたと判断する。一方、アナログテレビジョン信号を受信するように選択されている状態で、チャンネル番号が入力されると、ＭＰＵ９は、その入力されたチャンネル番号が割付けられているデジタルテレビジョン信号の放送チャンネルとアナログテレビジョン信号の放送チャンネルのうち、アナログテレビジョン信号の放送チャンネルが選択されたと判断する。
【００３９】
また、デジタルテレビジョン信号を受信するように選択されている状態から、アナログテレビジョン信号を受信するように選択されると、ＭＰＵ９は、そのとき（アナログテレビジョン信号を受信するように選択される直前）に受信していたデジタルテレビジョン信号の放送チャンネルに割付けられているのと同じチャンネル番号が割付けられているアナログテレビジョン信号の放送チャンネルが選択されたと判断する。逆に、アナログテレビジョン信号を受信するように選択されている状態から、デジタルテレビジョン信号を受信するように選択されると、ＭＰＵ９は、そのとき（デジタルテレビジョン信号を受信するように選択される直前）に受信していたアナログテレビジョン信号の放送チャンネルに割付けられているのと同じチャンネル番号が割付けられているデジタルテレビジョン信号の放送チャンネルが選択されたと判断する。
【００４０】
ＭＰＵ９は、このようにして、ユーザにより選択された放送チャンネルを判断して、ユーザにより選択された放送チャンネルのテレビジョン信号（デジタルテレビジョン信号又はアナログテレビジョン信号）を受信する動作を行い、また、ユーザにより選択された放送チャンネルのテレビジョン信号に基く映像及び音声を視聴可能に出力する動作を行う。
【００４１】
図２及び図３は、上記テレビジョン受像機１のチャンネル番号割付動作のフローチャートを示す。チャンネル番号割付動作では、ＭＰＵ９は、まず、各放送チャンネルのチャンネル情報を取得する（＃１）。すなわち、ＭＰＵ９は、デジタルデコーダ２の受信周波数を各放送チャンネルに対応する周波数に順次設定することにより、各放送チャンネル（周波数）のデジタルテレビジョン信号を受信する動作を行って、各放送チャンネルのデジタルテレビジョン信号に含まれている放送局ＩＤやＬＣＮ等のチャンネル情報をデジタルデコーダ２から取得する。また、ＭＰＵ９は、アナログデコーダ３の受信周波数を各放送チャンネルに対応する周波数に順次設定することにより、各放送チャンネル（周波数）のアナログテレビジョン信号を受信する動作を行って、各放送チャンネルのアナログテレビジョン信号に含まれているＣＮＩやＶＰＳ等のチャンネル情報をアナログデコーダ３から取得する。
【００４２】
続いて、ＭＰＵ９は、＃１で取得した各放送チャンネルのデジタルテレビジョン信号に含まれている放送局ＩＤ、及び各放送チャンネルのアナログテレビジョン信号に含まれている放送局ＩＤ（ＣＮＩやＶＰＳに含まれている）の中から、チャンネル番号を割付ける放送チャンネルの放送局ＩＤを選択する（＃２）。すなわち、ＭＰＵ９は、＃１で取得した放送局ＩＤの中から、チャンネル番号割付動作において、まだ選択していない（まだチャンネル番号を割付けていない放送チャンネルの）放送局ＩＤを選択する。
【００４３】
ここで、ＭＰＵ９は、＃２で選択した放送局ＩＤの放送局のテレビジョン信号として、デジタルテレビジョン信号とアナログテレビジョン信号の両方を受信可能か否か、すなわち、＃２で選択した放送局ＩＤの同一の放送局のデジタルテレビジョン信号とアナログテレビジョン信号を受信可能か否かを検出する（＃３）。すなわち、ＭＰＵ９は、＃１で取得した各放送チャンネルのデジタルテレビジョン信号に含まれている放送局ＩＤの中と、＃１で取得した各放送チャンネルのアナログテレビジョン信号に含まれている放送局ＩＤの中に、＃２で選択した放送局ＩＤが共通して存在しているか否かを検索する。そして、ＭＰＵ９は、デジタルテレビジョン信号に含まれている放送局ＩＤの中とアナログテレビジョン信号に含まれている放送局ＩＤの中に、＃２で選択した放送局ＩＤが共通して存在していれば、＃２で選択した放送局ＩＤの放送局のテレビジョン信号として、デジタルテレビジョン信号とアナログテレビジョン信号の両方を受信可能であると検出する。
【００４４】
＃２で選択した放送局ＩＤの放送局のテレビジョン信号として、デジタルテレビジョン信号とアナログテレビジョン信号の両方を受信可能である場合には（＃３でＹＥＳ）、ＭＰＵ９は、＃２で選択した放送局ＩＤのデジタルテレビジョン信号にＬＣＮが含まれているか否かを判断する（＃４）。
【００４５】
そして、デジタルテレビジョン信号にＬＣＮが含まれている場合には（＃４でＹＥＳ）、ＭＰＵ９は、＃２で選択した放送局ＩＤの放送局のデジタルテレビジョン信号とアナログテレビジョン信号のうち、デジタルテレビジョン信号の放送チャンネルに、そのデジタルテレビジョン信号に含まれているＬＣＮに従ったチャンネル番号を割付けると共に、アナログテレビジョン信号の放送チャンネルに、デジタルテレビジョン信号の放送チャンネルに割付けたチャンネル番号と同じチャンネル番号を割付ける（＃５）。
【００４６】
一方、デジタルテレビジョン信号にＬＣＮが含まれていない場合には（＃４でＮＯ）、ＭＰＵ９は、＃２で選択した放送局ＩＤの放送局のデジタルテレビジョン信号とアナログテレビジョン信号のうち、アナログテレビジョン信号の放送チャンネルに、そのアナログテレビジョン信号に含まれているＶＰＳに従ったチャンネル番号を割付けると共に、デジタルテレビジョン信号の放送チャンネルに、アナログテレビジョン信号の放送チャンネルに割付けたチャンネル番号と同じチャンネル番号を割付ける（＃６）。
【００４７】
また、＃２で選択した放送局ＩＤの放送局のテレビジョン信号として、デジタルテレビジョン信号とアナログテレビジョン信号の両方を受信可能でない場合には（＃３でＮＯ）、ＭＰＵ９は、＃２で選択した放送局ＩＤの放送局のテレビジョン信号として、デジタルテレビジョン信号のみを受信可能か否かを判断する（図３、＃７）。すなわち、ＭＰＵ９は、＃２で選択した放送局ＩＤが、＃１で取得した各放送チャンネルのデジタルテレビジョン信号に含まれている放送局ＩＤの中にのみ存在していれば、＃２で選択した放送局ＩＤの放送局のテレビジョン信号として、デジタルテレビジョン信号のみを受信可能であると検出する。一方、ＭＰＵ９は、＃２で選択した放送局ＩＤが、＃１で取得した各放送チャンネルのアナログテレビジョン信号に含まれている放送局ＩＤの中にのみ存在していれば、＃２で選択した放送局ＩＤの放送局のテレビジョン信号として、アナログテレビジョン信号のみを受信可能であると検出する。
【００４８】
＃２で選択した放送局ＩＤの放送局のテレビジョン信号として、デジタルテレビジョン信号のみを受信可能である場合には（＃７でＹＥＳ）、ＭＰＵ９は、＃２で選択した放送局ＩＤのデジタルテレビジョン信号にＬＣＮが含まれているか否かを判断する（＃８）。
【００４９】
そして、デジタルテレビジョン信号にＬＣＮが含まれている場合には（＃８でＹＥＳ）、ＭＰＵ９は、＃２で選択した放送局ＩＤの放送局のデジタルテレビジョン信号の放送チャンネルに、そのデジタルテレビジョン信号に含まれているＬＣＮに従ったチャンネル番号を割付ける（＃９）。一方、デジタルテレビジョン信号にＬＣＮが含まれていない場合には（＃８でＮＯ）、ＭＰＵ９は、＃２で選択した放送局ＩＤの放送局のデジタルテレビジョン信号の放送チャンネルに、放送チャンネルの周波数の順番に従ったチャンネル番号を割付ける（＃１０）。
【００５０】
また、＃２で選択した放送局ＩＤの放送局のテレビジョン信号として、アナログテレビジョン信号のみを受信可能である場合には（＃７でＮＯ）、ＭＰＵ９は、＃２で選択した放送局ＩＤの放送局のアナログテレビジョン信号の放送チャンネルに、そのアナログテレビジョン信号に含まれているＶＰＳに従ったチャンネル番号を割付ける（＃１１）。
【００５１】
そして、＃１で取得した放送局ＩＤの中から、全ての放送局ＩＤを選択していなければ（図２、＃１２でＮＯ）、ＭＰＵ９は、上記＃２以降の処理を繰り返す。すなわち、ＭＰＵ９は、＃１で取得した放送局ＩＤの中から、全ての放送局ＩＤを選択するまで、上記＃２以降の処理を繰り返す。これにより、＃１で取得した全ての放送局ＩＤの放送局のデジタルテレビジョン信号及びアナログテレビジョン信号の放送チャンネル（すなわち、受信可能な全てのテレビジョン信号の放送チャンネル）にチャンネル番号が割付けられる。そして、同一の放送局のデジタルテレビジョン信号とアナログテレビジョン信号の放送チャンネルについては、それらデジタルテレビジョン信号の放送チャンネルとアナログテレビジョン信号の放送チャンネルに同じチャンネル番号が割付けられる。
【００５２】
このような構成のテレビジョン受像機１によれば、チャンネル番号割付動作が行われることにより、同一の放送局のデジタルテレビジョン信号とアナログテレビジョン信号の放送チャンネルについて、デジタルテレビジョン信号の放送チャンネルとアナログテレビジョン信号の放送チャンネルに同じチャンネル番号が割付けられる。従って、同一の放送局のデジタルテレビジョン信号とアナログテレビジョン信号を受信できる状況において、ユーザの混乱を招く可能性を低くすることができ、ユーザの使い勝手を向上させることができる。
【００５３】
なお、本発明は、上記実施形態の構成に限られず、種々の変形が可能である。例えば、放送局ＩＤに代えて、テレビジョン信号の再生映像に重畳されている各放送局毎のロゴを抽出し、そのロゴにより放送局を識別して、同一の放送局のデジタルテレビジョン信号とアナログテレビジョン信号を受信可能か否かを検出するようにしてもよい。
【符号の説明】
【００５４】
１    テレビジョン受像機
１ａ  アンテナ
２    デジタルデコーダ
３    アナログデコーダ
４    ディスプレイ
５    スピーカ
６    リモコン
７    リモコン受信部
８    チャンネルメモリ
９    ＭＰＵ（チャンネル番号割付手段）
【図１】
2010273085.tif 000003
【図２】
2010273085.tif 000004
【図３】
2010273085.tif 000005